(57)【要約】本発明は、吸収性物品１にファスナ部１０を取付ける方法であって、第１選択肢（Ａ）では、（ｉ）トップシート２を提供するステップと、（ｉｉ）トップシート２の内面２ａに１つ以上のファスナ部１０を配置して、ファスナ使用者端部１２がトップシート２によって本質的に支持され、ファスナ製造者端部１１がトップシート２の側縁２ｃ、２ｄのうちの一方に本質的に隣接し、それにより締結手段１５がトップシート２の内面２ａに向くようにするステップと、（ｉｉｉ）製造者端部１１を、それが使用者端部１２に本質的に対向するように折り曲げるステップと、（ｉｖ）吸収性コア４およびバックシート３をトップシート２に取付けるステップと、を含み、ステップ（ｉｉｉ）と（ｉｖ）との順序を替えることができ、あるいは、第２選択肢（Ｂ）では、（ｉ）バックシート３を提供するステップと、（ｉｉ）バックシート３の外面３ｂに１つ以上のファスナ部１０を配置して、ファスナ使用者端部１２がバックシート３によって本質的に支持され、ファスナ製造者端部１２がバックシート３の側縁３ｃ、３ｄのうちの一方に本質的に隣接し、それにより締結手段１５がバックシート３の外面３ｂから離れる方向に向くようにするステップと、（ｉｉｉ）製造者端部１１を、それが使用者端部１２に本質的に対向するように折り曲げるステップと、（ｉｖ）吸収性コアおよびトップシート２をバックシート３に取付けるステップと、を含み、ステップ（ｉｉｉ）と（ｉｖ）との順序を替えることができる方法に関する。
2005503892.tif 000002
【特許請求の範囲】
【請求項１】
吸収性物品１、特に使い捨ておむつに、ファスナ部１０を取付ける方法であって、該吸収性物品１が、内面２ａ、外面２ｂ、第１側縁２ｃおよび第２側縁２ｄを有するトップシートウェブ２と、内面３ａ、外面３ｂ、第１側縁３ｃおよび第２側縁３ｄを有するバックシート３と、該トップシート２と該バックシート３との間に配置される吸収性コア４とを備えるとともに、該ファスナ部１０が、該ファスナ部１０を該吸収性物品１に固定するための製造者端部１１と締結手段１５を備えた使用者端部１２とを備えるものであり、この方法は、第１選択肢（Ａ）では、
（ｉ）トップシート２を用意するステップと、
（ｉｉ）該トップシート２の内面２ａに１つ以上のファスナ部１０を配置して、該使用者端部１１を該トップシート２によって本質的に支持するとともに、該製造者端部１２を該トップシート２の一方の該側縁２ｃ、２ｄに本質的に隣接させ、それにより該締結手段１５を該トップシート２の該内面２ａに向けるようにするステップと、
（ｉｉｉ）該製造者端部１１を、それが該使用者端部１２に本質的に対向するように折り曲げるステップと、
（ｉｖ）吸収性コア４およびバックシート３を該トップシート２に取付けるステップと、
を含み、かつステップ（ｉｉｉ）とステップ（ｉｖ）との順序を交替することができ、あるいは第２選択肢（Ｂ）では、
（ｉ）バックシート３を用意するステップと、
（ｉｉ）該バックシート３の外面３ｂに１つ以上のファスナ部１０を配置して、該使用者端部１２を該バックシート３によって本質的に支持するとともに、該製造者端部１１を該バックシート３の一方の該側縁３ｃ、３ｄに本質的に隣接させ、それにより該締結手段１５を該バックシート３の該外面３ｂから離れる方向に向けるようにするステップと、
（ｉｉｉ）該製造者端部１１を、それが該使用者端部１２に本質的に対向するように折り曲げるステップと、
（ｉｖ）吸収性コア４およびトップシート２を該バックシート３に取付けるステップと、
を含み、かつステップ（ｉｉｉ）とステップ（ｉｖ）との順序を交替することができる、
方法。
【請求項２】
前記１つ以上のファスナ部１０が、後部ウエストバンド部７ａおよび／または正面ウエストバンド部７ｂに取付けられる、請求項１に記載の方法。
【請求項３】
前記１つ以上のファスナ部１０が、トップシート２またはバックシート３の連続送りウェブに間欠的に取付けられて、別個の吸収性物品に切断することができる吸収性物品１の連続送りウェブが提供される、請求項１に記載の方法。
【請求項４】
吸収性物品１、特に使い捨ておむつに、１つ以上のツインファスナ部１０ａを取付ける方法であって、該吸収性物品１が、内面２ａ、外面２ｂ、第１側縁２ｃおよび第２側縁２ｄを有するトップシートウェブ２と、内面３ａ、外面３ｂ、第１側縁３ｃおよび第２側縁３ｄを有するバックシート３と、該トップシート２と該バックシート３との間に配置される吸収性コア４とを備えるとともに、該ツインファスナ部１０ａが、第１製造者端部１１ａ、第１使用者端部１２ａ、解放可能結合部１９、第２使用者端部１２ｂおよび第２製造者端部１１ｂを備え、該製造者端部１１ａ、１１ｂ、該使用者端部１２ａ、１２ｂおよび該解放可能結合部１９の横方向における寸法が、該製造者端部１１ａ、１１ｂを該トップシート２または該バックシート３の互いに反対側の側縁２ｃ、２ｄおよび／または３ｃ、３ｄに隣接して位置付けることができるように選択されるとともに、該解放可能結合部１９を、２つの別々のファスナ部１０を提供するように解放することができるものであり、この方法は、第１選択肢（Ａ）では、
（ｉ）トップシート２を用意するステップと、
（ｉｉ）該トップシート２の内面２ａに１つ以上のツインファスナ部１０ａを配置して、該使用者端部１２ａ、１２ｂと該解放可能結合部１９とを該トップシート２によって本質的に支持するとともに、該製造者端部１１ａ、１１ｂを該トップシート２の両側縁２ｃ、２ｄに本質的に隣接させ、それにより該締結手段１５ａ、１５ｂを該トップシート２の該内面２ａに向けるようにするステップと、
（ｉｉｉ）該製造者端部１１ａ、１１ｂを折り曲げるステップと、
（ｉｖ）吸収性コア４およびバックシート３を該トップシート２に取付けるステップと、
を含み、かつステップ（ｉｉ）とステップ（ｉｉｉ）またはステップ（ｉｉｉ）とステップ（ｉｖ）の順序を夫々交替することができ、あるいは第２選択肢（Ｂ）では、
（ｉ）バックシート３を用意するステップと、
（ｉｉ）該バックシート３の外面３ａに１つ以上のツインファスナ部１０ａを配置して、該使用者端部１２ａ、１２ｂと該解放可能結合部１９とを該バックシート３によって本質的に支持するとともに、該製造者端部１１ａ、１１ｂを該バックシート３の両側縁３ｃ、３ｄに本質的に隣接させ、それにより該締結手段１５を外側に向けるようにするステップと、
（ｉｉｉ）該製造者端部１１ａ、１１ｂを折り曲げるステップと、
（ｉｖ）吸収性コア４およびトップシート２を該バックシート３に取付けるステップと、
を含み、ステップ（ｉｉ）とステップ（ｉｉｉ）またはステップ（ｉｉｉ）とステップ（ｉｖ）の順序を交替することができる、
方法。
【請求項５】
前記１つ以上のツインファスナ部１０ａが、後部ウエストバンド部７ａおよび／または正面ウエストバンド部７ｂに取付けられる、請求項４に記載の方法。
【請求項６】
前記１つ以上のツインファスナ部１０ａが、トップシート２またはバックシート３の連続送りウェブに間欠的に取付けられて、別個の吸収性物品１に切断することができる吸収性物品１の連続送りウェブが提供される、請求項４に記載の方法。
【請求項７】
前記第１選択肢（Ａ）のステップ（ｉｉ）における前記トップシート２は折目２ｅを有し、または前記第２選択肢（Ｂ）のステップ（ｉｉ）における前記バックシート３は折目を有し、少なくとも該トップシート２または該バックシート３に対し横方向の力を与えることにより、ツインファスナ部１０ａの取付中または取付後の後続ステップで該折目がまっすぐにされ、それにより該ツインファスナ部１０ａが２つの別々のファスナ部１０に分断される、請求項４に記載の方法。
【請求項８】
横方向に所与の順序で、第１製造者端部１１ａと、第１使用者端部１２ａと、解放可能連結部１９と、第２使用者端部１２ｂと、第２製造者端部１１ｂとを備えるツインファスナ部１０ａであって、該使用者端部１２ａおよび１２ｂがいかなる別個の部品も無しに該解放可能結合部１９により互いに直接結合され、該解放可能結合部１９を解放して２つの別々のファスナ部１０を提供することができる、ツインファスナ部１０ａ。
【請求項９】
前記解放可能結合部１９が、穿孔である、請求項８に記載のツインファスナ部１０ａ。
【請求項１０】
前記穿孔が、直線であるかまたは矩形パターンを示す、請求項９に記載のツインファスナ部１０ａ。
【発明の詳細な説明】
【技術分野】
【０００１】
本発明は、吸収性物品、特に、外側を向いたバックシートと、吸収性コアと、吸収性物品が装用者にあてがわれた時に装用者の皮膚に接触するトップシートと、を備えた紙おむつに、ファスナ部を取付ける方法に関する。
【背景技術】
【０００２】
紙おむつ等の吸収性物品には、たとえば接着剤層により、その端部のうちの１つ、すなわちいわゆる製造者端部（ｍａｎｕｆａｃｔｕｒｅｒ’ｓ  ｅｎｄ）を介して吸収性物品の本体に接着されるファスナ部が設けられる。通常使用者端部（ｕｓｅｒ’ｓ  ｅｎｄ）と呼ばれるファスナ部の反対側端部は、装用者の体の周囲で吸収性物品を閉鎖しその体の上で吸収性物品を締結する、接着性締結手段または機械的締結手段等の締結手段等の締結手段を有する。図１ａおよび図１ｂは、夫々開いた形態（図１ａ）と閉じた形態（図１ｂ）での砂時計形状を有する最新の紙おむつを示す。図１ｂから、おむつが、バックシート３とトップシート２との間に吸収性コア４を備えることが分る。ファスナ部１０の製造者端部１１は、おむつの側部パネル６に付着され、使用者端部１２は、おむつのバックシート３上の正面ウエストバンド部７ｂ上のランディングゾーン５に締結される。
【０００３】
ＥＰ０，３７９，８５０号明細書は、おむつの装用者が縁の鋭いフィンガーリフトにより傷つくかまたは切ることがないように、まるいグリップエンドまたはフィンガーリフトを有するファスナ部分を製造する方法を開示する。ファスナ部のウェブから一対のファスナ部を連続的にダイカットし、得られたファスナ部をコンベヤベルト上の並んで搬送される２つの異なるおむつの縁部分に連続的に取付ける。おむつ用の連続した製造ラインに組込むことができる、複数のファスナ部を形成する他の方法は、たとえば国際公開第９８／０３，１４０号パンフレット、米国特許第５，３９９，２１９号明細書および同第５，８７６，５３１号明細書において開示されている。
【０００４】
国際公開第８４／０４，２４２号パンフレットは、おむつの本体部分が本質的に矩形であるように、おむつの側部パネル６がその本体部分に一体化されていない、別のおむつ形状を開示している。同様の構造は、たとえば米国特許第５，５２７，３０２号明細書に示されている。これらの構造では、ファスナ部１０の寸法は、典型的には、図１ａおよび図１ｂに示すもののようなおむつの本体部分に一体化した側部パネル６を備えたおむつに関連して使用されるファスナ部の寸法より大きい。一体化した側部パネル６を備えていないおむつを装用者に確実にかつストレス無しに適合させるために、ファスナ部１０の寸法がより大きいことが必要である。図１ａおよび図１ｂの参照番号１０によって示すもののような一体化した側部パネル６に関連して使用されるストリップタイプのファスナ部を、しばしば、ファスナテープと呼び、米国特許第５，５２７，３０２号明細書に開示されるもののようなファスナ部を、しばしばビッグイヤー（ｂｉｇ  ｅａｒ）ファスナ部と呼ぶ。
【０００５】
ファスナ部は、しばしば、締結手段に加えて、ファスナ部に伸縮性を与えるために弾性手段を備える。伸縮性ファスナ部は、たとえば、米国特許第５，５２７，３０２号明細書および国際公開第９９／０３，３４７号パンフレットに開示されている。
【発明の開示】
【発明が解決しようとする課題】
【０００６】
弾性手段を備えたファスナ部は概して有利であり、装用者に対するおむつの適合を向上させる傾向にあるが、弾性手段を備えていないファスナ部に比較して低い剛性を示す可能性がある。これは、弾性手段を備えるファスナ部の取扱性に悪影響を与える可能性があり、特に高速製造作業下で、かかるファスナ部のおむつの本体部への取付が困難になる可能性がある。
【０００７】
また、従来技術では、おむつにファスナ部を、ファスナ部が容易に開き、かつ望ましくなく早まって開くことが起こりにくいように取付ける方法を提供することも困難であった。たとえば、ＥＰ０，３２１，２３２号明細書は、接着性締結手段と機械的締結手段とをともに備えたファスナ部を開示している。このファスナ部を、その製造者端部を介しておむつに取付け、その後おむつのトップシートの内面に折込む。そこでは、接着手段がトップシートの内面に接着することにより、たとえば吸収性物品がまだおむつラインで処理されている間にファスナ部の早まった「パッと開くこと（ｐｏｐ  ｏｐｅｎ）」（「ゆるみ（ｆｌａｇｇｉｎｇ）」が防止される。ファスナ部のゆるみにより、後続する処理ステップにおいてファスナ部が粉砕しおよび／またはおむつを包装可能状態に折畳む際に悪影響がもたらされる可能性がある。
【０００８】
したがって、本発明の目的は、高速製造条件下で有効に取付けることができおよび／または従来技術の欠点を示さないかまたはより低い程度でのみ示す、吸収性物品にファスナ部を取付ける改良された方法を提供することである。
【０００９】
本発明の別の目的は、吸収性物品に取付けられた場合に早まって「パッと開く（ｐｏｐ  ｏｐｅｎ）」ことがないファスナ部を提供することである。
【００１０】
本発明の他の目的を、本発明の以下の詳細な説明から取上げることができる。
【課題を解決するための手段】
【００１１】
本発明は、吸収性物品１に、特に使い捨ておむつにファスナ部１０を取付ける方法であって、該吸収性物品１が内面２ａ、外面２ｂ、第１側縁２ｃおよび第２側縁２ｄを有するトップシートウェブ２と、内面３ａ、外面３ｂ、第１側縁３ｃおよび第２側縁３ｄを有するバックシート３と、該トップシート２と該バックシート３との間に配置される吸収性コア４と、を備え、該ファスナ部１０が、該ファスナ部１０を吸収性物品１と締結手段１５を備えた使用者端部１２とに固定する製造者端部１１を備える、方法であり、第１選択肢（Ａ）では、
（ｉ）トップシート２を提供するステップと、
（ｉｉ）トップシート２の内面２ａに１つ以上のファスナ部１０を配置して、使用者端部１２がトップシート２によって本質的に支持され、製造者端部１１がトップシート２の側縁２ｃ、２ｄのうちの一方に本質的に隣接し、それにより締結手段１５がトップシート２の内面２ａに向くようにするステップと、
（ｉｉｉ）製造者端部１１を、それが使用者端部１２に本質的に対向するように折り曲げるステップと、
（ｉｖ）吸収性コア４およびバックシート３をトップシート２に取付けるステップと、
を含み、ステップ（ｉｉｉ）と（ｉｖ）との順序を替えることができ、あるいは、第２選択肢（Ｂ）では、
（ｉ）バックシート３を提供するステップと、
（ｉｉ）バックシート３の外面３ｂに１つ以上のファスナ部１０を配置して、使用者端部１２がバックシート３によって本質的に支持され、製造者端部１１がバックシート３の側縁３ｃ、３ｄのうちの一方に本質的に隣接し、それにより締結手段１５がバックシート３の外面３ｂから離れる方向に向くようにするステップと、
（ｉｉｉ）製造者端部１１を、それが使用者端部１２に本質的に対向するように折り曲げるステップと、
（ｉｖ）吸収性コアおよびトップシート２をバックシート３に取付けるステップと、
を含み、ステップ（ｉｉｉ）と（ｉｖ）との順序を替えることができる方法に関する。
【００１２】
本発明はまた、吸収性物品１に、特に使い捨ておむつに１つ以上のツインファスナ部１０ａを取付ける方法であって、該吸収性物品１が内面２ａ、外面２ｂ、第１側縁２ｃおよび第２側縁２ｄを有するトップシートウェブ２と、内面３ａ、外面３ｂ、第１側縁３ｃおよび第２側縁３ｄを有するバックシート３と、該トップシート２と該バックシート３との間に配置される吸収性コア４と、を備え、該ツインファスナ部１０ａが、第１製造者端部１１ａ、第１使用者端部１２ａ、解放可能結合部１９、第２使用者端部１２ｂおよび第２製造者端部１１ｂを備え、製造者端部１１ａ、１１ｂ、使用者端部１２ａ、１２ｂおよび解放可能結合部１９の横方向における寸法が、製造者端部１１ａ、１１ｂをトップシート２またはバックシート３夫々の対向する側縁２ｃ、２ｄおよび／または３ｃ、３ｄに隣接して位置付けることができるように選択され、解放可能結合部１９を、２つの別々のファスナ部１０を提供するように解放することができる、方法であり、第１選択肢（Ａ）では、
（ｉ）トップシート２を提供するステップと、
（ｉｉ）トップシート２の内面２ａに１つ以上のツインファスナ部１０ａを配置して、使用者端部１２ａ、１２ｂと解放可能結合部１９とがトップシート２によって本質的に支持され、製造者端部１１ａ、１１ｂがトップシート２の対向する縁２ｃ、２ｄに本質的に隣接し、それによって締結手段１５ａ、１５ｂがトップシート２の内面２ａに向くようにするステップと、
（ｉｉｉ）製造者端部１１ａ、１１ｂを折り曲げるステップと、
（ｉｖ）吸収性コア４およびバックシート３をトップシート２に取付けるステップと、
を含み、ステップ（ｉｉ）および（ｉｉｉ）または（ｉｉｉ）および（ｉｖ）の順序を夫々替えることができ、あるいは、第２選択肢（Ｂ）では、
（ｉ）バックシート３を提供するステップと、
（ｉｉ）バックシート３の外面３ｂに１つ以上のツインファスナ部１０ａを配置して、使用者端部１２ａ、１２ｂと解放可能結合部１９がバックシート３によって本質的に支持され、製造者端部１１ａ、１１ｂがバックシート３の対向する縁３ｃ、３ｄに本質的に隣接し、それよって締結手段１５が外側を向くようにするステップと、
（ｉｉｉ）製造者端部１１ａ、１１ｂを折り曲げるステップと、
（ｉｖ）吸収性コア４およびトップシート２をバックシート３に取付けるステップと、
を含み、ステップ（ｉｉ）および（ｉｉｉ）または（ｉｉｉ）および（ｉｖ）の順序を替えることができる方法に関する。
【００１３】
本発明はまた、横方向に所与の順序で、第１製造者端部１１ａと、第１使用者端部１２ａと、解放可能連結部１９と、第２使用者端部１２ｂと、第２製造者端部１１ｂと、を備えるツインファスナ部１０ａであって、使用者端部１２ａおよび１２ｂがいかなる別個の部品も無しに解放可能結合部１９により互いに直接結合され、解放可能結合部１９を解放して２つの別々のファスナ部１０を提供することができる、ツインファスナ部に関する。
【発明を実施するための最良の形態】
【００１４】
上記および下記で使用するように、「吸収性物品」という用語は、装用者の体に接するかまたは近接して配置されることにより、その体から排出されるあらゆる滲出物を吸収し封じ込める物品を言う。吸収性物品は、好ましくは使い捨てであり、すなわち、１回使用した後に処分されるように意図されており洗濯されるかまたは他の方法で修復または再使用されるようには意図されていない。
【００１５】
本発明において参照する吸収性物品の好ましい実施形態は、おむつである。上記および下記で使用する「おむつ」という用語は、概して幼児または失禁者が装用し、装用者の脚の間で引上げられウエストを中心に締結される、衣料品を言う。
【００１６】
上記および下記で使用するように、吸収性物品１の流れ方向（ＭＤ）という用語は、おむつの製造中のたとえばトップシート２およびバックシート３の流れる連続ウェブの方向を示し（たとえば、図２参照）、そのためウエストバンド部７ａ、７ｂに対して垂直なおむつの長手方向に対応する。横方向（ＣＤ）は、流れ方向に対して垂直である。同様に、ファスナ部１０の横方向（ＣＤ）は、その長手方向に対応し、すなわち、製造者端部１１から使用者端部までを指す方向であり（たとえば、図２の左部分におけるファスナ部の流れるウェブの方向と比較されたい）、ファスナ部の流れ方向は、その横方向に対して垂直である。
【００１７】
上記および下記で使用する「隣接する」という用語は、製造者端部１１が、トップシート２またはバックシート３夫々の側縁のうちの１つに近接して配置され、それにより種々の位置が可能である、ということを示すように理解される。製造者端部は、たとえば、本質的に、対応する側縁の上を突出してもよい。しかしながら、製造者端部１１が、折り曲げるステップの前に本質的にトップシート２および／またはバックシート３によって支持されるように、横方向における製造者端部の外側の縁がトップシート２またはバックシート３夫々の上記側縁と本質的に一致する、ということも可能である。
【００１８】
トップシート２は、装用者の皮膚に接触する内面２ａと吸収性コア４に向いている外面２ｂとを備える。トップシートの縁２ｃ、２ｄは、トップシートの側縁により流れ方向に形成される。同様に、バックシート３は、吸収性コア４に向いている内面３ａと外側の露出面３ｂとを備える。バックシート３の縁３ｃ、３ｄは、トップシートの側縁により流れ方向に形成される。
【００１９】
吸収性物品１、特におむつは、たとえば、矩形形状、Ｉ形状、Ｔ形状または本質的に砂時計形状等、いかなる所望の形状を有してもよい。
【００２０】
図１ｂは、本質的に砂時計形状のおむつの閉じた形態の部分切取斜視図である。おむつは、トップシート２とバックシート３との間に吸収性コア４を備える。ファスナ部１０は、製造者端部１１を介して後部ウエストバンド部７ａの外面３ｂおよび／またはバックシート３の側部パネル６に固定される。図１ｂに示すおむつの閉じた状態では、ファスナ部１０は、それらの使用者端部１２を介しておむつの正面ウエストバンド部７ｂのターゲット部５に取付けられる。
【００２１】
吸収性物品１およびおむつのあらゆる構造において、バックシート３は、概して、吸収性物品１の外側カバー部材を提供するが、時に、吸収性物品は、バックシート３とは異なる別個の外側カバー部材を備えてもよい。
【００２２】
内面３ａと外側、すなわち装用者から離れる方向に向いている外面３ｂとを有するバックシート３は、液体浸透性材料から構成されてもよいが、好ましくは、液体に対して実質的に不浸透性である材料から構成される。バックシート３の材料は、好ましくは、吸収性コア４に封じ込められた滲出物が吸収性物品１に接触するベッドシートおよび上着等の物品を湿潤しないように選択される。たとえば、好ましくは、吸収性物品１のバックシート３として、ポリプロピレンまたはポリエチレンフィルム等の薄いプラスチックフィルムまたは可撓性の液体浸透性材料の他の薄いフィルムを使用することができる。バックシート３の代替構造は、滲出物が吸収性コアから漏出しないために、吸収性コア４に隣接するかまたは近接する領域に所望のレベルの液体不浸透性を与えるように全体としてまたは部分的に構成された、織または不織繊維層を備える。別の実施形態では、バックシート３は、液体滲出物がバックシート３を通して湿潤するのを効果的に防止する一方で、水蒸気等の気体が吸収性コア４から漏出するのを可能にする微孔性の通気性材料から構成されてもよい。
【００２３】
バックシート３のサイズおよび形状は、典型的には、吸収性物品の特定の設計、吸収性コア４のサイズおよび形状および／またはトップシート２のサイズおよび形状を鑑みて選択される。バックシート３のサイズおよび形状は、吸収性コア４を本質的に完全にカバーする。しかしながら、望ましい場合は、バックシート３は、吸収性コア４および／またはトップシート２の終縁を選択された距離だけ越えて延在してもよい。
【００２４】
トップシート２は、好ましくは、その内面２ａが装用者の皮膚に対して馴染み易く、ソフトな感触であり、刺激がないように、選択される。トップシート２はさらに、液体が容易に厚みを貫通することができる液体浸透性であるように選択される。適当なトップシート２を、多孔性発泡体、網状発泡体、開口フィルム、天然繊維（たとえば、木材または綿繊維）、合成繊維（たとえば、ポリエステルまたはポリプロプレン繊維）等の多種多様の材料からあるいは天然および合成繊維の組合せから製作されてもよい。好ましくは、トップシート２は、装用者の皮膚を吸収性コア４に保持される液体から隔離する疎水性材料から構成される。
【００２５】
トップシート２に対して、あらゆる織繊維および不織繊維を使用することができる。たとえば、トップシートは、好ましくは１０〜３０ｇ／ｍ2の面積重量を有してもよい、メルトブローン、スピンボンデッドまたはカーデッドポリオレフィン不織布から構成されてもよい。
【００２６】
トップシート２のサイズおよび形状は、典型的には、吸収性物品１の特定の設計と、吸収性コア４のサイズおよび形状と、バックシート３のサイズおよび形状と、装用者の皮膚に接触する領域のサイズおよび形状と、を鑑みて選択される。トップシート２のサイズおよび形状は、バックシート３のものと本質的に一致してもよいが、バックシート３とトップシート２とのサイズおよび／または形状が互いからずれることもまた可能である。好ましい実施形態では、バックシート３とトップシート２との両方のサイズおよび形状は、少なくともファスナ部１０が吸収性物品に貼付される領域において本質的に一致するが、バックシート３は、吸収性物品１の他の領域においてトップシート２を越えて延在してもよく、その逆も可能である。
【００２７】
トップシート２とバックシート３とは、任意の操作可能な方法で結合されまたは他の方法で関連付けられる。トップシート２を、バックシート３に直接取付けてもよいが、バックシート３とトップシート２とを、トップシート２を中間部材に取付け中間部材をバックシート３に取付けることによって互いに間接的に結合または接合することも可能である。トップシート２とバックシート３とを、たとえば接着ボンド、音波ボンド、サーマルボンドまたは他の任意の取付手段によって吸収性物品１の周縁部において互いに直接結合または付着してもよい。
【００２８】
吸収性コア４は、バックシート３とトップシート２との間に配置され、概して圧縮性であり、形状が適合し易く、装用者の皮膚に刺激を与えず、液状の体からの滲出物を吸収し保持することができる構造を有する。吸収性コア４は、たとえば、親水性繊維材料および高吸収性材料から構成されてもよく、たとえば、吸収性パッドの形態で提供することができる。吸収性コア４は、材料の単一の一体部分から構成されてもよく、あるいは代替的に、操作可能に合せて組立てられる材料の複数の個々の別々の部分から構成されてもよい。
【００２９】
吸収性物品が装用者にあてがわれた時に装用者のウエストの周囲に亙る、流れ方向における吸収性物品１の両端の部分を、通常、ウエストバンド部７ａ、７ｂと呼ぶ。吸収性物品１は、流れ方向のその両端において、たとえば、正面ウエストバンド部７ｂおよび後部ウエストバンド部７ａを形成する２つのウエストバンド部とそれら２つのウエストバンド部を結合する中間部と備える。吸収性物品１はさらに、バックシート３および／またはトップシート２の少なくとも１つのウエストバンド部の両外側端から横方向に延在する側部パネル６を備えてもよい。側部パネルのサイズおよび形状とそれらのバックシート３および／またはトップシート２への取付は、広く異なってもよい。側部パネルは、たとえば、バックシート３および／またはトップシート２の一体部を形成してもよい。代替構造では、側部パネルは、バックシート３および／またはトップシート２に結合される別個の部材であってもよい。側部パネルは、２つの対向するウエストバンド部の各々に存在してもよい。
【００３０】
ファスナ部１０は、吸収性物品１を装用者の体の周囲に取外し可能にかつ再締結可能に取付けることが可能である。ファスナ部１０は、それを吸収性物品１に固定する製造者端部１１とファスナ手段１５を備えた使用者端部１２とを備え、その使用者端部は、吸収性物品１を装用者に取付ける際に使用者によって把持される。製造者端部は、吸収性物品の製造中に吸収性物品に固定される締結部の部分に対応し、それは通常、ファスナ部の側縁（すなわち、横方向における縁）のうちの１つから、横方向における、製造中に提供されるようなファスナ部のおむつに対する固着の領域が終了する位置まで延在する。使用者端部１２は、製造中に吸収性物品に固着されないファスナ部１０の部分に対応し、通常、製造者端部１１とは異なるファスナ部の部分に対応する。これは、言換えれば、製造者端部１１と使用者端部との横方向における伸張量の合計が、横方向におけるファスナ部１０の伸張量に対応することを意味する。横方向における使用者端部１２の伸張量は、横方向におけるファスナ部１０の伸張量の５５〜８０％であり、製造者端部１１の伸張量は、相応じて好ましくは４５％と２０％との間で変化する。
【００３１】
ファスナ部１０のサイズおよび形状は、吸収性物品のサイズ、形状および構造によって大幅に変化してもよい。たとえば、バックシート３および／またはトップシート２によって一体的に形成される側部パネルの場合に対し図１に概略的に示すように、ファスナ部１０を、側部パネル６に取付けることができる別々の締結テープタブによって形成することが可能である。しかしながら、非一体的な別々の側部パネルの場合にも、別々の締結テープストリップ１０を使用することができる。しかしながら、ファスナ部１０が側部パネル６によって形成されるように、締結手段１５を側部パネル６に組込むことも可能である。
【００３２】
ファスナ部１０は、たとえば弾性手段１７、締結手段１５、フィンガーリフト、おむつとファスナ部との間にＹ接合を提供するリリーステープまたはカバー手段等の機能部品を、夫々支持するか、それらに接着されるか、またはそれらを一体的に含んでもよい、裏材またはキャリアフィルム２０を備えてもよい。裏材とそれに取付けられるかまたはそれに組込まれる機能部品とは、たとえば弾性、通気性、流れまたは横夫々の方向における微分剛性もしくはファスナ部１０に対する機械的または接着性接合特性等の有利な特性を与えるように選択される。
【００３３】
裏材は、単層または多層フィルム、共押出しフィルム、発泡層を備える側部ラミネートフィルムを含む種々のフィルムまたはシートから選択してもよい。かかるフィルムまたはシートの層は、たとえばポリプロピレン、ポリ塩化ビニル、ポリエチレンテレフタレート、ポリエチレン、ポリオレフィン共重合体、もしくはたとえばポリプロピレン、ＬＰＤＥ（低密度ポリエチレン）および／またはＬＬＤＰＥ（リニア低密度ポリエチレン）の混合物等のポリオレフィンの混合物、不織布および発泡材料等のあらゆる材料から構成されてもよい。裏材の厚さは、好ましくは、３０μｍと５００μｍとの間であり、より好ましくは、４０μｍと１５０μｍとの間である。裏材の基本重量は、好ましくは２０ｇ／ｍ2と５００ｇ／ｍ2との間であり、より好ましくは４０ｇ／ｍ2と３００ｇ／ｍ2との間であり、特に好ましくは４０ｇ／ｍ2と２００ｇ／ｍ2との間である。
【００３４】
裏材２０は、好ましくは、たとえば図３のファスナ部の特定の実施形態に示すように裏材２０に接合させてもよい少なくとも１つの弾性手段１７を備える。弾性手段１７と裏材２０との間の接合は、接着ボンド、音波ボンド、サーマルボンドまたは他の任意の取付手段によって行ってもよい。また、弾性手段１７を、たとえば、その断面が裏材の隣接部分の断面と本質的に一致するように、すなわち、弾性手段１７と裏材２０との間の接合領域に段が無い（図３に示すものとは異なる）ように、裏材２０に含めることも可能である。ファスナ部１０を横方向（ＣＤ）に伸張可能にする１つ以上の弾性手段１７をファスナ部１０に含めることは、それによって装用者において吸収性物品１がより適合しより快適となるため好ましい。
【００３５】
弾性手段１７を、夫々本質的に等方性または本質的に非等方性材料を含む材料のグループから作製してもよい。有用な弾性材料は、好ましくは、伸縮性の好ましい方向にＡＳＴＭＤ８８２にしたがって測定されるように、少なくとも５０％以上、より好ましくは１００％超の破断伸度を示す。
【００３６】
好ましい本質的に等方性の弾性材料には、エラストマーポリウレタン材料、もしくは、例えばエチレン・プロピレン・ジエン共重合体（ＥＰＤＭ）、スチレン・ブタジエン・スチレンブロック共重合体（ＳＢＳ）またはスチレン・（エチレン・ブチレン）・スチレンブロック共重合体（ＳＥＢＳ）等の天然または合成ゴム材料がある。弾性手段１７を形成するために使用してもよい他のエラストマー材料には、エラストマーポリアミド材料とエラストマーポリエステル材料がある。好ましい弾性材料は、商標名ベクター（Ｖｅｃｔｏｒ）でエクソン・モビル社（Ｅｘｘｏｎ  Ｍｏｂｉｌ  Ｃｏｒｐ．）からおよび商標名クラトン（Ｋｒａｔｏｎ）でクラトン・ポリマー社（Ｋｒａｔｏｎ  Ｐｏｌｙｍｅｒｓ  Ｃｏｍｐ．）から市販されている。
【００３７】
裏材２０に本質的に等方性の弾性材料を取付けることにより、ファスナ部１０が流れ方向に不安定になる可能性がある。したがって、ファスナ部１０に対しその横方向において弾性を提供することができる本質的に非等方性弾性材料が好ましい。非等方性弾性材料については、たとえば米国特許第５，８８５，９０８号明細書、国際公開第９９／５１，６６６号パンフレット、米国特許第５，３４４，６９１号明細書、米国特許第５，５０１，６７９号明細書および米国特許第５，３５４，５９７号明細書において述べられている。
【００３８】
本発明において有用な非等方性弾性材料は、好ましくは、シート状のエラストマー材料（寸法２０×２５ｍｍ）を流れ方向に１０％伸張させるために必要なＦ１０力の、横方向に必要なＦ１０力に対する割合が、少なくとも１．５、より好ましくは少なくとも２．０、特に好ましくは少なくとも２．５を示す。
【００３９】
ファスナ部１０は、連結するメカニカルタイプファスナにより、接着性締結手段により、および／または他の締結手段により提供してもよい締結手段１５を備える。解放可能および再締結可能なクロージャシステムを提供するために、吸収性物品１は、締結手段１５に加えて補足的なランディングゾーン５を備えてもよい。
【００４０】
締結手段１５がメカニカルタイプである場合、ファスナ部１０の締結手段１５と機械的に係合可能な締結手段を備えたランディングゾーン５が必要な場合がある。適当なメカニカルクロージャシステムは、２つの連結手段を備え、それらの一方はフック（または雄）ファスナ手段であり、他方はループ（または雌）ファスナ手段である。締結手段１５は、夫々フックファスナかまたはループファスナ手段を備えてもよいが、好ましくはフックファスナ手段を備える。フックファスナ手段は、本技術分野において周知であるようにフック、「Ｔ」、「マッシュルーム」または他の任意の形状等のいかなる形状を有してもよい。フックファスナ材料は、ナイロン、ポリエステル、ポリオレフィンまたはこれらの任意の組合せを含む多種多様の材料から製造してもよい。好ましいフック材料は、米国セントポールの３Ｍカンパニー（３Ｍ  Ｃｏｍｐａｎｙ（Ｓｔ．Ｐａｕｌ，Ｕ．Ｓ．Ａ．））から市販されている。
【００４１】
締結手段１５を、接着ボンド、音波ボンド、サーマルボンドまたは他のいかなる取付手段によって裏材２０に取付けてもよい。
【００４２】
ループ材料は、当今のフックファスナ材料と連結する、織繊維または不織繊維かまたは他の適当な材料から構成されてもよい。夫々編タイプまたは押出接着タイプの適当なループ締結材料は、たとえば米国セントポールの３Ｍカンパニー（３Ｍ  Ｃｏｍｐａｎｙ（Ｓｔ．Ｐａｕｌ，ＵＳＡ））から市販されている。
【００４３】
締結手段１５がフックファスナ手段からなる場合、たとえば図１に概略的に示すように吸収性物品のウエストバンド部にランディングゾーン５として当今のループ材料のパッチを貼付することが必要であるおよび／または望ましい場合がある。たとえば、バックシート３の外面３ｂが不織布材料で形成される他の場合では、機械的締結手段１５を、別々のランディングゾーンが必要でないようにバックシート３の外面３ｂと直接相互作用するように選択してもよい。接着性締結手段１５の場合、締結手段の接着性付着物を受入れる別々のランディングゾーン５を含むことが必要であるか望ましい場合がある。
【００４４】
接着剤層１６ａにおよび／または接着性締結手段１５として使用する有用な接着剤には、感圧粘着型ホットメルト接着剤を含む感圧接着剤と非感圧接着剤とが含まれる。適当な感圧接着剤には、天然または合成ゴム材料と典型的にはそのゴム材料を粘着性にするための粘着性付与樹脂とを備えるゴムベース接着剤（ゴム樹脂接着剤とも呼ぶ）がある。ゴムベース感圧接着剤の好ましい例は、合成ポリテルペン樹脂によって粘着化されたポリスチレンポリイソプレンブロック共重合体である。適当な感圧接着剤は、さらに、たとえば米国再発行特許第２４，９０６号明細書または米国特許第４，７１０，５３６号明細書に開示されるもの等、アクリル酸塩ベースの感圧接着剤がある。接着剤層１６、１６ａの厚さは、好ましくは１０μｍと２００μｍとの間であり、より好ましくは２０μｍと１００μｍとの間である。
【００４５】
ファスナ部１０の形状は、広く変更することができる。おむつの側部パネルに貼付されるファスナストリップは、形切断を採用することにより変更することができる本質的に矩形形状を有してもよい。これを、たとえば図４に例示するが、図４では、ツインファスナ部１０ａの連続ウェブに対して楕円切断が適用されている。単一ファスナ部１０に形切断を適用することも可能であり、切断の形状は変化してもよく規則的な形状と不規則な形状とを含む。
【００４６】
ファスナ部１０は、たとえばフィンガーリフト、接着手段を部分的にカバーするカバー手段、またはＹ型接合でファスナ部１０をおむつに確実に固定するために提供されるいわゆるリリーステープ等、他の部品を備えてもよい。
【００４７】
図２は、ファスナ部１０の特定の実施例を製造する特定の方法を概略的に開示する。かかるファスナ部の略断面図を図３に示す。図２の特定の実施形態では、支持ロール１００から弾性手段１７を備えた裏材２０を巻出す。機械的締結手段１５を、供給ロール１０１から巻出し、たとえば接着剤層により裏材に取付ける。接着剤アプリケータ１０２（図２には詳細を示さず）のコーティングヘッドにより、裏材の製造者端部１１に接着剤層１６を塗布する。代替的に、ストリップ形態で接着剤層１６によりプレコーティングされた裏材を使用することも可能である。また、製造者端部１１を、たとえば吸収性物品のトップシート２とバックシート３との間に固定する場合、およびかかるトップシート２および／またはバックシート３がそれらを互いに接合するための接着剤層を備える場合、接着剤層１６を省略することも可能である。
【００４８】
そして、このように取得されたファスナ部１０を、真空ロール１０３および回転ナイフ１０４を備えた切断・配置アプリケータ１０３、１０４によってトップシートウェブ２に取付ける。
【００４９】
吸収性物品１の上記説明は、単に説明のためであって限定するようには意図されていない。ここでは、吸収性物品１を、本発明を説明するために必要な程度までしか説明していないが、吸収性物品１が通常、たとえば限定されないが、装用者の脚に対しておむつを引寄せ保持するように構成された脚弾性部材をしばしば備える股領域８、装用者のウエストの周囲における吸収性物品のタイトフィットを確実にするための、正面および／または後部ウエストバンド領域７ａ、７ｂおよび／またはファスナ部１０の弾性手段、たとえば封じ込めた滲出物を支持するために流れ方向に沿って横方向に脚弾性部から内側に配置された弾性封じ込めフラップ等を含む、種々のさらなる部品および特徴を備える、ということが理解される。
【００５０】
同様に、ファスナ部１０の上記説明は、単に説明するものであって限定するようには意図されていない。
【００５１】
おむつとそれらの構造に関するさらなる詳細は、文献において述べられており、たとえば米国特許第５，３９９，２１９号明細書、国際公開ＷＯ９６／１０，３８２号明細書またはＥＰ０，５２９，６８１号明細書から採用してもよい。ファスナ部１０の構造に対する例は、たとえば、国際公開ＷＯ９９／０３，４３７号明細書、ＥＰ０，３２１，２３２号明細書または米国特許第５，３９９，２１９号明細書に記載されている。
【００５２】
本発明において使用するファスナ部１０の設計および構造は従来のものであってもよいが、本発明は、ファスナ部１０を吸収性物品１に貼付する新規な方法を提供する。
【００５３】
本発明による方法の第１選択肢Ａでは、第１ステップにおいて、使用者端部１２が本質的にトップシート２によって支持され製造者端部１１が本質的にトップシートの縁２ｃ、２ｄのうちの１つに隣接し、それによりファスナ手段１５がトップシート２の内面２ａに向いているように、ファスナ部１０をトップシート２の内面２ａ上に位置付けられる。「隣接する」という用語には、たとえば吸収性物品１の特定構造に対して図２に概略的に示すように、製造者端部１１がトップシートの縁２ｃ、２ｄのうちの１つの上に本質的に突出する場合も含む。図２において、トップシート２を、内面２ａが上方に向いている連続ウェブとして提供する。このウェブは、切断・配置アプリケータ１０３、１０４を通過する。そこで、ファスナ部１０の製造者端部１１が対応する縁２ｃ、２ｄの上に突出するように、２つのファスナ部１０の対を、トップシート２の対向する側縁２ｃ、２ｄに隣接して配置し、それに応じて、ファスナ部１０の使用者端部１２を、横方向における使用者端部１２の外側の縁がトップシート２の対応する縁２ｃ、２ｄと本質的に一致するように、トップシートによって支持する。ファスナ部１０の対を、ファスナ部１０が、結果としての吸収性物品１のウエストバンド部を形成するトップシート２の連続ウェブの領域に配置されるように、切断・配置アプリケータ１０３、１０４によって不連続に供給する。望ましい場合、ファスナ部１０の使用者端部を、たとえば、その製造者端部１１が後述するように吸収性物品に固定されるまでプレート、バーまたはベルト等の機械的手段により、トップシートウェブ２の適所に位置的に保持してもよい。
【００５４】
本発明による方法の第２ステップでは、ファスナ部の製造者端部１１を吸収性物品に固定する。図２に概略的に示す方法の特定の実施形態では、製造者端部を、それがトップシートの外面２ｂの下であって本質的に使用者端部１２に対向するように、トップシート２の縁２ｃ、２ｄで本質的に１８０°で折り曲げる。製造者端部１１を、トップシート２と、内面３ａがトップシート２の外面２ｂに向いている連続ウェブとして供給されるバックシート３との間に固定する。トップシート２とバックシート３とを、ローラ１０７の対（１つのローラのみを示す）の間で合せてラミネートすることにより、吸収性物品１の連続ウェブが提供される。
【００５５】
図３に、吸収性物品１のウエストバンド部の湾曲領域の拡大断面図を示す。吸収性物品１は、吸収性コア４（図２には示さず）を挟装するトップシート２とバックシート３とを備える。ファスナ部１０の製造者端部１１を、トップシート２とバックシート３との間に配置する。ファスナ部１０の製造者端部１１を、接着剤層１６を介してトップシート２の外面２ｂに固定し、バックシート３を、ファスナ部１０の製造者端部１１と、トップシート２と、接着剤層１６ａにより吸収性コア４と、に固着させる。ファスナ部１０の使用者端部１２を、グリップ部１２’と、グリップ部１２’と製造者端部１１との間に位置する中間部１２”とに概念的に分割することができる。グリップ部１２’は、図２および図３の特定の実施形態では、弾性手段１７と、締結手段１５と、グリップ部１２’の内側の端部のフィンガーリフト部と、を含む。
【００５６】
図２および図３に概略的に表す本発明の方法の選択肢Ａの特定の実施形態は、本発明を決して限定することなく単に例示するものである。たとえば、製造者端部１１は、トップシート２の縁２ｃ、２ｄの上を本質的に突出する必要はないが、トップシート２によって部分的にまたは完全に支持することができる。この場合、製造者端部１１を折り曲げると、トップシート２の下の部分も同様に折り曲げられる。たとえば、製造者端部は、折り曲げられた時にトップシート２とバックシート３との間に配置される必要はないが、最初にトップシート２とバックシート３とをラミネートし、その後製造者端部を折り曲げてトップシートの外面３ｂに接着させることも可能である。ファスナ部１０の製造者端部１１を吸収性物品１に固定することと、トップシート２とバックシート３とを固着させることと、を、接着ボンド以外の取付手段によって行ってもよい。同様に、ファスナ部１０をおむつの他の部分に固定してもよい。また、たとえば、１つのファスナ部１０を正面および後部ウエストバンド部７ｂ、７ａの各々に貼付するかまたは一対のファスナ部１０を正面および後部ウエストバンド部７ｂ、７ａの各々に貼付することも可能である。
【００５７】
図２および図３は限定するものではなく説明するものとして理解しなければならないが、ファスナ部１０を吸収性物品１に取付ける方法を提供することに存する、
・ファスナ部１０の使用者端部１２がトップシート２またはバックシート３によって支持され、好ましくは吸収性物品が保管されている時に想定する位置にすでに配置されているように、ファスナ部１０を吸収性物品１のトップシート２またはバックシート３夫々に配置することと、その後に
・後続するステップにおいて製造者端部１１をおむつに固定することができるように処理することと、
を含む本発明の要点を示す。
【００５８】
最新の技術では、まず製造者端部をおむつに取付け、その後使用者端部をその最終保存位置になるように処理していた。
【００５９】
本発明の方法は、特に、高速製造条件下で採用されることに適している。ファスナ部２０の吸収性物品への取付け中に、使用者端部がトップシート２またはバックシート３夫々によって支持されるため、本発明の方法は、特に、弾性手段を備えるファスナ部１０を貼付するために有利である。
【００６０】
本発明による方法の第２の選択肢Ｂでは、第１ステップにおいて、ファスナ部１０を、使用者端部１２がトップシート２によって本質的に支持され、製造者端部１１がバックシート３の縁３ｃ、３ｄのうちの１つに本質的に隣接し、それによってファスナ部１５が外側に向くように、バックシート３の外面３ｂに位置付けられる。続いて、第２ステップにおいて、ファスナ部１０の製造者端部１１を上述したように折り曲げる。
【００６１】
本発明の特に有利な実施形態では、使用者端部１２ａ、１２ｂおよび解放可能結合部１９によって結合される第１および第２製造者端部１１ａ、１１ｂを備えるツインファスナ部１０ａを使用し、そこでは、製造者端部１１ａ、１１ｂ、使用者端部１２ａ、１２ｂおよび解放可能結合部１９の横方向における寸法を、製造者端部１１ａ、１１ｂをトップシート２またはバックシート３夫々の対向する縁２ｃ、２ｄおよび／または３ｃ、３ｄに隣接するように位置付けることができる。ツインファスナ部１０ａでは、使用者端部１２ａおよび１２ｂを、２つの別々のファスナ部１０を提供するために取除くことができる解放可能結合部１９を通して結合する。
【００６２】
解放可能結合部１９が追加の別々の部分によって形成されるツインファスナ部１０ａを、国際公開ＷＯ８４／０４，２４２号明細書に開示する。国際公開ＷＯ８４／０４，２４２号明細書の２つの実施形態のうちの一方では、解放可能結合部は、使用者端部１２ａ、１２ｂに直接または別個のＺ折り固定ストリップにより接着される穿孔接着性ストリップである。穿孔接着性ストリップを破断することにより、２つの別々のファスナ部１０を提供することができる。ＷＯ８４／０４，２４２号明細書の第２実施形態では、解放可能結合部は、使用者端部１２ａ、１２ｂに直接かまたは別個のＺ折り固定ストリップにより接着される取外し可能テープである。取外し可能テープをはがすことにより、２つの別々のファスナ部１０が提供される。
【００６３】
本発明の方法において国際公開ＷＯ８４／０４，２４２号明細書に開示されているツインファスナ部を使用することができるが、本発明者により、２つの使用者端部１２ａ、１２ｂが、取除き破棄しなければならない追加の別個の要素無しに互いに直接解放可能に結合されるツインファスナ部１０ａが、特に好ましい、ということが分った。これらの構造は、高速製造条件下で操作することが容易であり、解放可能結合部１９を破断する際に追加の廃物がもたらされない。解放可能結合部１９が別個の要素を備えていないという条件付きで、２つの使用者端部１２ａ、１２ｂがかかる解放可能結合部１９により互いに直接結合されるツインファスナ部は、新しく、本発明の主題である。
【００６４】
解放可能結合部１９は、好ましくは、たとえば２つの使用者端部１２ａ、１２ｂ間に直接配置された穿孔等の脆弱線である。脆弱線は、使用者端部１２ａおよび１２ｂをツインファスナ部１０ａにおいて結合するが、たとえばいかなる追加の廃物を形成することもなく、一対の別々のファスナ部１０を解放するように破断する等、容易に取除くことができる。別の実施形態では、２つの使用者端部１２ａ、１２ｂはまた、たとえば、短い距離に亙ってオーバーラップしてもよく、それにより２つの使用者端部１２ａ、１２ｂは、たとえばかかる一時的な接合を破断した時に取除き破棄する必要がないが適所に残すことができる、超音波接合スポットもしくは蝋または除去可能接着剤の小さいスポットにより、かかるオーバーラップ領域において互いに解放可能に結合される。
【００６５】
解放可能結合部１９が別個の部品を備えていない本発明による新規なツインファスナ部１０ａの特定の実施形態を、図４の左部分において連続ウェブの形態で概略的に示す。この概略的な実施形態において、ツインファスナ部１０ａは、製造者端部１１ａ、１１ｂの各々に接着剤層１６がコーティングされており、使用者端部１２ａ、１２ｂの各々に弾性手段１７と締結手段１５とを備える。解放可能結合部１９は、穿孔線１９によって形成される。２つの隣接するツインファスナ部の形状は、形切断１８を適用することにより変更される。
【００６６】
図４のグラフィック表現は、本発明を限定することなく例示するように意図される。解放可能結合部１９を、たとえば、別々のファスナ部１０が湾曲したフィンガーリフトを有するようにする波状穿孔線によって形成することも可能である。
【００６７】
締結手段１５、弾性手段１７、裏材、接着剤層１６等のツインファスナ部１０ａのあらゆる部品を、たとえば、上で単一ファスナ部１０に対して開示した材料により形成してもよいが、他の材料を同様に使用してもよい。
【００６８】
ツインファスナ部１０ａを採用する本発明の好ましい方法を、図４の限定しない概略表現によって例示する。そこでは、ツインファスナ部１０ａがロール１２０から巻出され、連続ウェブとして提供されるトップシート２の内面２ａに貼付される。ツインファスナ部１０ａを、それらが、夫々結果としての吸収性物品１のウエストバンド部７ａ、７ｂのうちの一方かまたはそれらの両方を形成するトップシート２の連続ウェブの領域に配置されるように、不連続に、切断・配置アプリケータ１０３、１０４を介してトップシートの内面２ａに取付ける。ツインファスナ部１０ａを、それらの使用者端部１２ａ、１２ｂがトップシート２によって支持され、２つの対向する製造者端部１１ａ、１１ｂがトップシートの対向する縁２ｃ、２ｄに隣接するように、トップシート２上に配置する。製造者端部を折り曲げる後続するステップを、図５ａおよび図５ｂにおいて２つの異なる構造に対して概略的に示す。
【００６９】
図５ａでは、ツインファスナ部１０ａの製造者端部１１ａ、１１ｂは、製造者端部１１ａ、１１ｂの側縁がトップシート２の縁２ｃ、２ｄと本質的に一致する一方で、バックシート３の横方向伸張量がトップシート２のものより、合計しておよそ製造者端部１１ａ，１１ｂの伸張量の合計分小さいように、トップシート２によって本質的に完全に支持される。そして、製造者端部１１ａ、１１ｂがトップシート２の下にある部分とともに折り曲げられることにより、図５ａ’に示す構造が得られる。
【００７０】
図５ｂでは、製造者端部１１ａ、１１ｂのみが折り曲げられるように、それらが本質的にトップシート２の縁２ｃ、２ｄの上に突出する。図５ｂ’に示す構造では、製造者端部１１を、トップシート２とバックシート３との間に位置付ける。しかしながら、トップシート２とバックシート３とをまずラミネートし、その後製造者端部１１を折り曲げることによりトップシートの外面３ｂに接着させることも可能である。
【００７１】
例えば、図４の製造の方法では、図２の対応する方法における２つのファスナ部とは対照的に、１つのファスナ部１０ａのみを貼付すればよいため、ツインファスナ部１０ａの使用は有利である。また、おむつの製造および保管中に使用者端部が確実に「ぱっと開く（ｐｏｐｐｉｎｇ  ｏｐｅｎ）」ことがないように、解放可能結合部は通常最終使用者によってのみ取外される。
【００７２】
しかしながら、図６の特定の構造に概略的に示すように、おむつの製造中にツインファスナ部１０ａを２つの別々のファスナ部１０に破断することも可能である。図６では、ツインファスナ部１０ａを、折目２ｅを有するトップシート２に取付けている。この特定の実施形態では、製造者端部１１ａ、１１ｂを、ツインファスナ１０ａの貼付前に折り曲げることにより、製造者端部がトップシート２の内面２ａに接着されるようにする。しかしながら、製造者端部を、使用者端部１２ａ、１２ｂに対向しトップシートの外面２ｂの下に位置するように折り曲げることも可能である。
【００７３】
図６の上部では、ツインファスナ部１０ａの解放可能結合部１９はまだ破断されておらず、ツインファスナ部１０ａがトップシートに貼付され製造者端部１１ａが折り曲げられている。図６の下部に示す次のステップでは、折目２ｅをまっすぐにするようにトップシート２上に横方向に側方の力を与えることにより、解放可能結合部１９を破断する。この後、図６に概略的に示すように、トップシートにバックシート３をラミネートする。
【図面の簡単な説明】
【００７４】
【図１ａ】砂時計形状を有する、開いた状態の使い捨ておむつの概略図であり、このおむつは、股領域８を備えた中間部分によって結合される後部ウエストバンド部７ａと正面ウエストバンド部７ｂとを備え、それによりこれらウエストバンド部７ａ、７ｂは側部パネル６を備える。さらに、おむつは、おむつを装用者にあてがう際に使用者端部１２が使用者によって操作されランディングゾーン５に固定される一方で、製造者端部１１を介して側部パネル６に固定されるファスナ部１０を備える。
【図１ｂ】閉じた状態の図１ａの使い捨ておむつの概略図であり、このおむつは、バックシート３とトップシート２との間に吸収性コア４を備え、ファスナ部１０がそれらの製造者端部１１を介しておむつの側部パネル６に接着され、それらの使用者端部１２を介して、バックシート３の露出した外面３ｂ上の正面ウエストバンド部７ｂのランディングゾーン５に締結される。
【図２】連続的に行われ、内面２ａと外面２ｂとを有するトップシート２の連続ウェブを提供することと、トップシート２の内面２ａ上に流れ方向ＭＤに間隔を空けて２つのファスナ部１０の対を配置することと、製造者端部をトップシート２の側縁２ｃに沿って折り曲げることと、連続したバックシート３をその内面３ａを介してトップシート２の外面２ｂ上に貼付することにより別個の吸収性物品１に切断することができる吸収性物品１の連続ウェブを提供することと、を含む、本発明の方法における実施形態の概略図である。図２はまた、供給ロール１０１からのファスナ手段１５と接着コーティングユニット１０２（図２には図示せず）からの接着剤層１６とを、ロール１００によって供給される裏材２０の連続ウェブに貼付することと、真空ロール１０３と回転ナイフ１０４とを備えた切断・配置アプリケータ１０３、１０４により間欠的にファスナ部の２つの対を切断することと、を含む、２つのファスナ部１０の対を半連続的な準備を概略的に示す。
【図３】ファスナ部１０を介する横方向（ＣＤ）の吸収性物品１の横方向図の概略図であり、図２に示した吸収性物品の湾曲部分の拡大図を提供する。吸収性物品１は、トップシート２と、バックシート３と、吸収性コア４と、ファスナ部１０と、を備え、上記ファスナ部１０の製造者端部１１は、トップシート２の外面２ｂとバックシート３の内面３ａとの間に配置され、上記ファスナ部１０の使用者端部１２のグリップ部１２’は、上記トップシート２の内面２ａ上に配置され機械的締結手段１５を備える。
【図４】連続的に行われ、２つの別個のファスナ部１０の対の代りに、解放可能な結合部１９を備えるツインファスナ部１０ａを使用するという点で図２の方法とは異なる、本発明の方法の別の実施形態の概略図である。
【図５ａ】ツインファスナ部１０ａの２つの製造者端部１１ａを夫々吸収性物品のトップシート２とバックシート３との間に配置する代替態様の概略図であり、湾曲部分を拡大してファスナ部１０ａを通して吸収性物品の横方向（ＣＤ）の詳細な横方向図を提供することにより、吸収性物品に対するその固定を示す。ツインファスナ部１０ａのグラフィカル表現のみがファスナ要素１５にのみ延在し、解放可能結合部１９は示していない。
【図５ｂ】ツインファスナ部１０ａの２つの製造者端部１１ａを夫々吸収性物品のトップシート２とバックシート３との間に配置する代替態様の概略図であり、湾曲部分を拡大してファスナ部１０ａを通して吸収性物品の横方向（ＣＤ）の詳細な横方向図を提供することにより、吸収性物品に対するその固定を示す。ツインファスナ部１０ａのグラフィカル表現のみがファスナ要素１５にのみ延在し、解放可能結合部１９は示していない。
【図６】内面２ａ、外面２ｂおよび折目２ｅを有するトップシートウェブ２を提供することと、ツインファスナ部１０ａを取付けその２つの製造者端部１１ａ、１１ｂで折り曲げそれらをトップシート２の内面２ａに接着することと、トップシート２に対し横方向に力を与えることによりツインファスナ部１０ａの解放可能結合部１９を分裂させ、それによって折目２ｅを広げバックシート３を取付けることと、を含む、本発明による別の方法の概略図である。
【国際公開パンフレット】
2005503892.tif 000003
2005503892.tif 000004
2005503892.tif 000005
2005503892.tif 000006
2005503892.tif 000007
2005503892.tif 000008
2005503892.tif 000009
2005503892.tif 000010
2005503892.tif 000011
2005503892.tif 000012
2005503892.tif 000013
2005503892.tif 000014
2005503892.tif 000015
2005503892.tif 000016
2005503892.tif 000017
2005503892.tif 000018
2005503892.tif 000019
2005503892.tif 000020
2005503892.tif 000021
2005503892.tif 000022
2005503892.tif 000023
2005503892.tif 000024
2005503892.tif 000025
2005503892.tif 000026
2005503892.tif 000027
2005503892.tif 000028
2005503892.tif 000029
2005503892.tif 000030
2005503892.tif 000031
2005503892.tif 000032
2005503892.tif 000033
2005503892.tif 000034
2005503892.tif 000035
2005503892.tif 000036
2005503892.tif 000037
【国際調査報告】
2005503892.tif 000038
2005503892.tif 000039
2005503892.tif 000040
2005503892.tif 000041
2005503892.tif 000042
2005503892.tif 000043
2005503892.tif 000044